(57)【要約】      （修正有）【課題】同一の名目のスケジュールあるいは類似の内容の作業について目的を誤らずに遂行可能となり、さらに、１日の予定と同日の内に進行する予定を一目で把握することができ、また短文の形で記録したい予定や課題を記入し易いスケジュール記入用紙及びそれらを備える手帳を提供する。【解決手段】スケジュール記入用紙１０において、スケジュールの名目記入欄５０及びスケジュールの名目記入欄５０の右側に設けられる箇条書き罫線群４１で構成される箇条書き欄４０を上下方向に複数備え且つ複数の箇条書き欄４０の左側に時間軸３０を備えるとともに複数の箇条書き欄４０の上方または下方に年月日２０を備えることを特徴とする。【選択図】図１
0003201786.tif 000002
【実用新案登録請求の範囲】
【請求項１】
本考案が示す図面と同一の配置である手帳およびスケジュール記入用紙。
【請求項２】
図面と同一の配置に係らず、本考案の特徴的要素である時間軸、目的別短文記載型罫線、年月日の３点を備える１日単位の手帳およびスケジュール記入用紙。
【考案の詳細な説明】
【技術分野】
【０００１】本考案は、予定等を管理するためのスケジュール用紙及びスケジュール用紙を綴じる手帳に関する提案である。
【背景技術】
【０００２】一般に、予定等を管理するためのスケジュール用紙において、設置する記入欄の形状、あるいは記入欄の配置は重要な要素である。既に様々な配置の記入欄をもつスケジュール用紙が発行されているが、本考案が提供する配置の型は、従来の製品に使用者自らが欄を追加する形でのみ実現されるものであった。そこで、使用者が罫線を追加する作業を省き、印刷物として罫線が追加された形を提供することで、日々の予定管理を効率化したいという要求が背景となり本考案に至った。
【先行技術文献】
【０００３】従来、時間軸と予定を一覧するためのスケジュール用紙においては、１ページを１日単位、１週間単位、１か月単位とするなど予定の期間の幅に応じた様々なタイプのものがある。１日単位としたものでは、時間軸と、自由に記入が可能な予定記入欄を備えたスケジュール用紙を綴じた手帳が提案されている。（例えば、非特許文献１参照）１ページに複数日を設置し、１日を時間軸のみで示したダイアリーも提案されている。（例えば、特許文献１参照）また、記入するスペースを広くして見易さを確保し、毎年同じ日に複数年に亘って記入する記録帳が提案されている。（例えば、特許文献２参照）
【先行技術文献】
【０００４】
【特許文献１】登録実用新案第３１６０９１５号
【特許文献２】登録新案登録第３１６３３６７号
【非特許文献１】「ほぼ日手帳」発行所・ほぼ日刊イトイ新聞
【考案の概要】
【考案が解決しようとする課題】
【０００５】本考案は、１日の内に遂行する必要のある作業の中で、複数の異なる目的の為の作業でありながら、その作業の名目や内容が同一あるいは類似であるような場合に、混乱が生じるという課題を解決しようとする。【０００６】また、１日の時間軸上のどの点で作業を開始するかを可視化するという課題について解決する。【０００７】さらに本考案では、短文の形式での記入が可能な欄を設置することにより、単語のみでは表現できない複雑な作業名目の記入という課題を解決する。
【課題を解決するための手段】
【０００８】本考案は、ヒトの視覚の生理現象である群化の法則を利用して、罫線の設置位置によって記入した項目と目的の関連の認識を容易にする。スケジュール用紙１０に、年月日２０と、１本の時間軸３０、複数目的別に予定や課題などの項目を記入する箇条書き欄４０、設置したこれらの枠組に該当しない情報を記入できる自由記入欄５０を設ける。箇条書き欄４０は、目的の別を表示する欄６０と箇条書き欄の箇条書き罫線群４１で構成している。目的の別を表示する欄６０は、罫線６１、罫線６２、罫線６３、罫線６４から成る。
罫線６３はヒトの視覚の知覚的群化を誘発し、罫線６３に接する箇条書き罫線群４１が群化の法則に従う効果を与える。【０００９】  本考案の構成要素は、１ページあたりに、時間軸、目的ごとに罫線を設置した短文形式での記入が可能な記入欄、年月日の３点である。【００１０】  時間軸３０に示す時刻に指定はない。使用の目的に応じて、表示する時間と何分毎の区切りにするかを決定する。【００１１】  パンチ穴８０は、ひも類やバインダー等に手動で綴じる場合の位置を示す。【００１２】  罫線７０は、図面上、時間軸３０と自由記入欄５０の区切りを示す目的で設置しており、本考案の構成に必須ではない。【００１３】  目的表示欄６０およびこれに接する箇条書き罫線群４１
【考案の効果】
【００１４】本考案により、同一の名目あるいは類似の内容の作業を、目的を誤らずに遂行可能となる効果が期待される。さらに、１日の予定と、同日の内に進行する予定を一目で把握することができ、短文の形で記録したい予定や課題を記入し易い手帳およびスケジュール記入用紙の提供が可能となる。
【図面の簡単な説明】
【００１５】
【図１】綴じ代を用紙の上端に設置し、１ページあたりに配置するスケジュール記入欄を示した平面図である。
【図２】綴じ代を用紙の左端に設置し、１ページあたりに配置するスケジュール記入欄を示した平面図である。
【考案を実施するための形態】
【００１６】本考案は、紙などの印刷可能な媒体にて実施する。実施する媒体の大きさは問わないが、短文形式での記入が可能な大きさを確保することが望ましい。
【実施例１】
【００１７】  １日の内に５種類の目的に付帯する同じ内容の作業があるとする。記入欄６０に目的を示す情報を記入する。記入欄６０に隣接する記入欄である箇条書き罫線群４１に作業の名称や内容を記入することで、各作業の目的の錯誤を防ぐ。
【実施例２】
【００１８】  時間軸３０に予定などを記入し、同一名称あるいは類似の内容の作業の開始時刻を明確にする。
【符号の説明】
【００１９】１０  スケジュール用紙
２０  年月日
３０  時間軸
４０  箇条書き欄
４１  箇条書き罫線群
５０  自由記入欄
６０  目的表示欄
６１  罫線
６２  罫線
６３  罫線
６４  罫線
７０  区切り線
８０  パンチ穴
【図１】
0003201786.tif 000003
【図２】
0003201786.tif 000004
【手続補正書】
【提出日】平成26年10月14日(2014.10.14)
【手続補正２】
【補正対象書類名】実用新案登録請求の範囲
【補正対象項目名】請求項１
【補正方法】変更
【補正の内容】
【請求項１】
目的表示欄６０と箇条書き罫線群４１で構成される箇条書き欄４０に時間軸３０を隣接し且つ箇条書き欄４０の上方又は下方に年月日２０を備える配置である手帳およびスケジュール記入用紙。
【手続補正３】
【補正対象書類名】実用新案登録請求の範囲
【補正対象項目名】請求項２
【補正方法】変更
【補正の内容】
【請求項２】
請求項１と同一の配置に係らず本考案の特徴的要素である時間軸３０、箇条書き欄４０、年月日２０の３点を備える１日単位の手帳およびスケジュール記入用紙であり時間軸３０を複数本備える場合を含む。
【手続補正書】
【提出日】平成27年1月28日(2015.1.28)
【手続補正１】
【補正対象書類名】実用新案登録請求の範囲
【補正対象項目名】全文
【補正方法】変更
【補正の内容】
【実用新案登録請求の範囲】
【請求項１】
本考案が示す図面と同一の配置であるスケジュール記入用紙。
【請求項２】
図面と同一の配置に係らず、本考案の特徴的要素である時間軸、複数目的別に予定や課題などの項目を記入する箇条書き欄を形成する罫線、年月日の３点を備える１日単位の手帳およびスケジュール記入用紙。
【手続補正２】
【補正対象書類名】明細書
【補正対象項目名】全文
【補正方法】変更
【補正の内容】
【考案の詳細な説明】
【技術分野】
【０００１】本考案は予定等を管理するためのスケジュール用紙に関する提案である。
【背景技術】
【０００２】一般に予定等を管理するためのスケジュール用紙において設置する記入欄の形状あるいは記入欄の配置は重要な要素である。既に様々な配置の記入欄をもつスケジュール用紙が発行されているが本考案が提供する配置の型は従来の製品に使用者自らが欄を追加する形でのみ実現されるものであった。そこで使用者が罫線を追加する作業を省き印刷物として罫線が追加された形を提供することで日々の予定管理を効率化したいという要求が背景となり本考案に至った。
【先行技術】
【０００３】従来の時間軸と予定を一覧するためのスケジュール用紙においては１ページを１日単位、１週間単位、１か月単位とするなど予定の期間の幅に応じた様々なタイプのものがある。１日単位としたものでは時間軸と自由に記入が可能な予定記入欄を備えたスケジュール用紙を綴じた手帳が提案されている。（例えば、非特許文献１参照）１ページに複数日を設置して１日を時間軸のみで示したダイアリーも提案されている。（例えば、特許文献１参照）また記入するスペースを広くして見易さを確保することで毎年同じ日に複数年に亘って記入する記録帳が提案されている。（例えば、特許文献２参照）
【先行技術文献】
【０００４】
【特許文献１】登録実用新案第３１６０９１５号
【特許文献２】登録新案登録第３１６３３６７号
【非特許文献１】「ほぼ日手帳」発行所・ほぼ日刊イトイ新聞
【考案の概要】
【考案が解決しようとする課題】
【０００５】本考案は１日の内に遂行する必要のある作業の中で複数の異なる目的の為の作業でありながらその作業の名目や内容が同一あるいは類似であるような場合に混乱が生じるという課題を解決しようとする。【０００６】また１日の時間軸上のどの点で作業を開始するかを可視化するという課題について解決する。【０００７】さらに本考案では短文の形式での記入が可能な欄を設置することにより単語のみの記入では表現できない複雑な作業名目の記録という課題を解決する。
【課題を解決するための手段】
【０００８】本考案はヒトの視覚の生理現象である群化の法則を利用して罫線の設置位置によって記入した項目と目的の関連の認識を容易にする。スケジュール用紙１０は本考案の説明のために４つの角がすべて等しい四角形であるとする。スケジュール用紙１０の左辺と並行に罫線６０を設置する。罫線６０の水平方向の位置は問わないがスケジュール用紙１０の左辺と罫線６０の間に時間軸３０を設置できる位置とする。罫線６０の垂直方向の長さはスケジュール用紙１０の上底から下底の範囲で任意であるが上底または下底に年月日２０の設置部位を設けられるよう設定する。罫線６０と並行に罫線５５を設ける。罫線５５の垂直方向の長さは罫線６０と同一あるいは罫線６０以下とする。罫線５５の水平方向の位置は罫線６０との間に短文の記入が可能な欄を設けられる範囲で罫線６０からスケジュール用紙１０の右辺の間に設定する。罫線６０の下端と罫線５５の下端の間に罫線５６を設ける。罫線５５の上端から罫線６０に向かい水平に罫線５１を設ける。罫線６０と罫線５５の間に罫線５５と同一の長さの罫線５２を設ける。罫線５２の水平方向の位置は任意であるがこの罫線の目的は記入しようとするスケジュールの名目が属する項目を示す部位を作るためスケジュールの名目記入欄５０が人手による文字の記入および閲覧が十分に行える位置となるよう設置する。罫線５１と罫線５６の間に罫線５３を設ける。罫線５３の設置数は任意であるがこの罫線の目的は項目の別を示す欄を作る目的であるため項目欄が人手による文字の記入および閲覧が十分に行える位置となるよう設置する。罫線５１から罫線５６の範囲で罫線５２と罫線５５の間に罫線４０を設ける。罫線４０の数は任意であるがこの罫線の目的は細目記入欄の設置であるため罫線間に人手による文字の記入および閲覧が十分に行えるよう設置する。時間軸３０はスケジュール用紙１０の左辺と罫線６０の間に設置する。罫線５３はヒトの視覚の知覚的群化を誘発して罫線４０が群化の法則に従う効果を与える。【０００９】  本考案の構成要素は１ページあたりに、時間軸、目的ごとに罫線を設置した短文形式での記入が可能な記入欄、年月日の３点である。【００１０】時間軸３０は時刻を示す文字列を数字の大小の序列に従い垂直方向に列記したものである。時間軸３０に示す時刻に指定はなく使用の目的に応じて表示する時間と何分毎の区切りにするかを決定する。
【考案の効果】
【００１１】本考案により同一の名目のスケジュールあるいは類似の内容の作業について目的を誤らずに遂行可能となる効果が期待される。さらに１日の予定と同日の内に進行する予定を一目で把握することができるため短文の形で記録したい予定や課題を記入し易いスケジュール記入用紙の提供が可能となる。
【図面の簡単な説明】
【００１２】
【図１】１ページあたりに配置するスケジュール記入欄を示した平面図である。
【考案を実施するための形態】
【００１３】本考案は、紙などの印刷可能な媒体にて実施する。実施する媒体の形状や大きさや厚さは問わないが人手による短文形式での記入と閲覧が可能な大きさを確保することが望ましい。
【実施例１】
【００１４】  １日の内に５種類の目的に付帯する同じ内容の作業があるとする。スケジュールの名目記入欄５０に目的を示す情報を記入する。スケジュールの名目記入欄５０に隣接する罫線４０に作業の名称や内容を記入することで各作業の目的の錯誤を防ぐ。
【実施例２】
【００１５】  時間軸３０に予定などを記入し同一名称あるいは類似の内容の作業の開始時刻を明確にする。
【符号の説明】
【００１６】  １０  スケジュール用紙
２０  年月日
３０  時間軸
４０  罫線
５０  スケジュールの名目記入欄
５１  罫線
５２  罫線
５３  罫線
５４  罫線
５５  罫線
５６  罫線
６０  罫線
【手続補正５】
【補正対象書類名】図面
【補正対象項目名】全図
【補正方法】変更
【補正の内容】
【図１】
0003201786.tif 000005
【手続補正書】
【提出日】平成27年6月2日(2015.6.2)
【手続補正１】
【補正対象書類名】実用新案登録請求の範囲
【補正対象項目名】全文
【補正方法】変更
【補正の内容】
【実用新案登録請求の範囲】
【請求項１】
本考案が示す課題を解決する手段記載の罫線の位置関係と同一の配置であるスケジュール記入用紙。
【請求項２】
時間軸と年月日とスケジュールの名目記入欄５０に隣接する罫線４０を特徴とする請求項１記載のスケジュール記入用紙。
【手続補正２】
【補正対象書類名】明細書
【補正対象項目名】全文
【補正方法】変更
【補正の内容】
【考案の詳細な説明】
【技術分野】
【０００１】本考案は予定等を管理するためのスケジュール用紙に関する提案である。【０００２】一般に予定等を管理するためのスケジュール用紙において設置する記入欄の形状あるいは記入欄の配置は重要な要素である。既に様々な配置の記入欄をもつスケジュール用紙が発行されているが本考案が提供する配置の型は従来の製品に使用者自らが欄を追加する形でのみ実現されるものであった。そこで使用者が罫線を追加する作業を省き印刷物として罫線が追加された形を提供することで日々の予定管理を効率化したいという要求が背景となり本考案に至った。【０００３】従来の時間軸と予定を一覧するためのスケジュール用紙においては１ページを１日単位や１週間単位や１か月単位とするなど予定の期間の幅に応じた様々なタイプのものがある。１日単位としたものでは時間軸と自由に記入が可能な予定記入欄を備えたスケジュール用紙を綴じた手帳が提案されている。（例えば非特許文献１参照）１ページに複数日を設置して１日を時間軸のみで示したダイアリーも提案されている。（例えば特許文献１参照）また記入するスペースを広くして見易さを確保することで毎年同じ日に複数年に亘って記入する記録帳が提案されている。（例えば特許文献２参照）
【考案が解決しようとする課題】
【０００４】本考案は１日の内に遂行する必要のある作業の中で複数の異なる目的の為の作業でありながらその作業の名目や内容が同一あるいは類似であるような場合に混乱が生じるという課題を解決しようとする。
【０００５】また１日の時間軸上のどの点で作業を開始するかを可視化するという課題について解決する。
【０００６】さらに本考案では短文の形式での記入が可能な欄を設置することにより単語のみの記入では表現できない複雑な作業名目の記録という課題を解決する。
【課題を解決するための手段】
【０００７】本考案はヒトの視覚の生理現象である群化の法則を利用して罫線の設置位置によって記入した項目と目的の関連の認識を容易にする。スケジュール用紙１０は本考案の説明のために４つの角がすべて等しい四角形であるとする。スケジュール用紙１０の左辺と並行に罫線６０を設置する。罫線６０の水平方向の位置は問わないがスケジュール用紙１０の左辺と罫線６０の間に時間軸３０を設置できる位置とする。罫線６０の垂直方向の長さはスケジュール用紙１０の上底から下底の範囲で任意であるが上底または下底に年月日２０の設置部位を設けられるよう設定する。罫線６０と並行に罫線５５を設ける。罫線５５の垂直方向の長さは罫線６０と同一あるいは罫線６０以下とする。罫線５５の水平方向の位置は罫線６０との間に短文の記入が可能な欄を設けられる範囲で罫線６０からスケジュール用紙１０の右辺の間に設定する。罫線６０の下端と罫線５５の下端の間に罫線５６を設ける。罫線５５の上端から罫線６０に向かい水平に罫線５１を設ける。罫線６０と罫線５５の間に罫線５５と同一の長さの罫線５２を設ける。罫線５２の水平方向の位置は任意であるがこの罫線の目的は記入しようとするスケジュールの名目が属する項目を示す部位を作るためスケジュールの名目記入欄５０が人手による文字の記入および閲覧が十分に行える位置となるよう設置する。罫線５１と罫線５６の間に罫線５３を設ける。罫線５３の設置数は任意であるがこの罫線の目的は項目の別を示す欄を作る目的であるため項目欄が人手による文字の記入および閲覧が十分に行える位置となるよう設置する。罫線５１から罫線５６の範囲で罫線５２と罫線５５の間に罫線４０を設ける。罫線４０の数は任意であるがこの罫線の目的は細目記入欄の設置であるため罫線間に人手による文字の記入および閲覧が十分に行えるよう設置する。時間軸３０はスケジュール用紙１０の左辺と罫線６０の間に設置する。罫線５３はヒトの視覚の知覚的群化を誘発して罫線４０が群化の法則に従う効果を与える。
【０００８】  本考案の構成要素は１ページあたりに時間軸と目的ごとに罫線を設置した短文形式での記入が可能な記入欄と年月日の３点である。
【０００９】時間軸３０は時刻を示す文字列を数字の大小の序列に従い垂直方向に列記したものである。時間軸３０に示す時刻に指定はなく使用の目的に応じて表示する時間と何分毎の区切りにするかを決定する。
【考案の効果】
【００１０】本考案により同一の名目のスケジュールあるいは類似の内容の作業について目的を誤らずに遂行可能となる効果が期待される。さらに１日の予定と同日の内に進行する予定を一目で把握することができるため短文の形で記録したい予定や課題を記入し易いスケジュール記入用紙の提供が可能となる。
【図面の簡単な説明】
【００１１】
【図１】１ページあたりに配置するスケジュール記入欄を示した平面図である。
【考案を実施するための形態】
【００１２】本考案は紙などの印刷可能な媒体にて実施する。実施する媒体の形状や大きさや厚さは問わないが人手による短文形式での記入と閲覧が可能な大きさを確保することが望ましい。
【実施例１】
【００１３】  １日の内に５種類の目的に付帯する同じ内容の作業があるとする。スケジュールの名目記入欄５０に目的を示す情報を記入する。スケジュールの名目記入欄５０に隣接する罫線４０に作業の名称や内容を記入することで各作業の目的の錯誤を防ぐ。
【実施例２】
【００１４】  時間軸３０に予定などを記入し同一名称あるいは類似の内容の作業の開始時刻を明確にする。
【符号の説明】
【００１５】１０  スケジュール用紙
２０  年月日
３０  時間軸
４０  罫線
５０  スケジュールの名目記入欄
５１  罫線
５２  罫線
５３  罫線
５４  罫線
５５  罫線
５６  罫線
６０  罫線
【手続補正３】
【補正対象書類名】図面
【補正対象項目名】全図
【補正方法】変更
【補正の内容】
【図１】
0003201786.tif 000006
【手続補正書】
【提出日】平成27年8月4日(2015.8.4)
【手続補正１】
【補正対象書類名】実用新案登録請求の範囲
【補正対象項目名】全文
【補正方法】変更
【補正の内容】
【実用新案登録請求の範囲】
【請求項１】
スケジュールの名目記入欄５０及びスケジュールの名目記入欄５０の右側に設けられる箇条書き罫線群４１で構成される箇条書き欄４０を上下方向に複数備え且つ複数の箇条書き欄４０の左側に時間軸３０を備えるとともに複数の箇条書き欄４０の上方または下方に年月日２０を備えることを特徴とするスケジュール記入用紙。
【請求項２】
請求項１に記載のスケジュール記入用紙を複数備えることを特徴とする手帳。
【手続補正２】
【補正対象書類名】明細書
【補正対象項目名】全文
【補正方法】変更
【補正の内容】
【考案の詳細な説明】
【技術分野】
【０００１】本考案は予定等を管理するためのスケジュール記入用紙に関する提案である。【０００２】一般に予定等を管理するためのスケジュール記入用紙において設置する記入欄の形状あるいは記入欄の配置は重要な要素である。既に様々な配置の記入欄をもつスケジュール記入用紙が発行さ
れているが本考案が提供する配置の型は従来の製品に使用者自らが欄を追加する形でのみ実現されるものであった。そこで使用者が罫線を追加する作業を省き印刷物として罫線が追加された形を提供することで日々の予定管理を効率化したいという要求が背景となり本考案に至った。【０００３】従来の時間軸と予定を一覧するためのスケジュール記入用紙においては１ページを１日単位や１週間単位や１か月単位とするなど予定の期間の幅に応じた様々なタイプのものがある。１日単位としたものでは時間軸と自由に記入が可能な予定記入欄を備えたスケジュール記入用紙を綴じた手帳が提案されている。（例えば非特許文献１参照）１ページに複数日を設置して１日を時間軸のみで示したダイアリーも提案されている。（例えば特許文献１参照）また記入するスペースを広くして見易さを確保することで毎年同じ日に複数年に亘って記入する記録帳が提案されている。（例えば特許文献２参照）
【考案が解決しようとする課題】
【０００５】本考案は１日の内に遂行する必要のある作業の中で複数の異なる目的の為の作業でありながらその作業の名目や内容が同一あるいは類似であるような場合に混乱が生じるという課題を解決しようとする。
【０００６】また１日の時間軸上のどの点で作業を開始するかを可視化するという課題について解決する。
【０００７】さらに本考案では短文の形式での記入が可能な欄を設置することにより単語のみの記入では表現できない複雑な作業名目の記録という課題を解決する。
【課題を解決するための手段】
【０００８】本考案はヒトの視覚の生理現象である群化の法則を利用して罫線の設置位置によって記入した項目と目的の関連の認識を容易にする。スケジュール記入用紙１０は本考案の説明のために４つの角がすべて等しい四角形であるとする。スケジュール記入用紙１０の左辺と並行に罫線６０を設置する。罫線６０の水平方向の位置は問わないがスケジュール記入用紙１０の左辺と罫線６０の間に時間軸３０を設置できる位置とする。罫線６０の垂直方向の長さはスケジュール記入用紙１０の上底から下底の範囲で任意であるが上底または下底に年月日２０の設置部位を設けられるよう設定する。罫線６０と並行に罫線５５を設ける。罫線５５の垂直方向の長さは罫線６０と同一あるいは罫線６０以下とする。罫線５５の水平方向の位置は罫線６０との間に短文の記入が可能な欄を設けられる範囲で罫線６０からスケジュール記入用紙１０の右辺の間に設定する。罫線６０の下端と罫線５５の下端の間に罫線５６を設ける。罫線５５の上端から罫線６０に向かい水平に罫線５１を設ける。罫線６０と罫線５５の間に罫線５５と同一の長さの罫線５２を設ける。罫線５２の水平方向の位置は任意であるがこの罫線の目的は記入しようとするスケジュールの名目が属する項目を示す部位を作るためスケジュールの名目記入欄５０が人手による文字の記入および閲覧が十分に行える位置となるよう設置する。罫線５１と罫線５６の間に罫線５３を設ける。罫線５３の設置数は任意であるがこの罫線の目的は項目の別を示す欄を作る目的であるため項目欄が人手による文字の記入および閲覧が十分に行える位置となるよう設置する。罫線５１から罫線５６の範囲で罫線５２と罫線５５の間に箇条書き罫線群４１を設ける。箇条書き罫線群４１の数は任意であるがこの罫線の目的は細目記入欄の設置であるため罫線間に人手による文字の記入および閲覧が十分に行えるよう設置する。時間軸３０はスケジュール記入用紙１０の左辺と罫線６０の間に設置する。罫線５３はヒトの視覚の知覚的群化を誘発して箇条書き罫線群４１が群化の法則に従う効果を与える。
【０００９】  本考案の構成要素は１ページあたりに時間軸と目的ごとに罫線を設置した短文形式での記入が可能な記入欄と年月日の３点である。
【００１０】時間軸３０は時刻を示す文字列を数字の大小の序列に従い垂直方向に列記したものである。時間軸３０に示す時刻に指定はなく使用の目的に応じて表示する時間と何分毎の区切りにするかを決定する。
【００１１】  削除
【００１２】  削除
【００１３】  削除
【考案の効果】
【００１４】本考案により同一の名目のスケジュールあるいは類似の内容の作業について目的を誤らずに遂行可能となる効果が期待される。さらに１日の予定と同日の内に進行する予定を一目で把握することができるため短文の形で記録したい予定や課題を記入し易いスケジュール記入用紙の提供が可能となる。
【図面の簡単な説明】
【００１５】
【図１】１ページあたりに配置するスケジュール記入欄を示した平面図である。
【図２】削除
【考案を実施するための形態】
【００１６】本考案は紙などの印刷可能な媒体にて実施する。実施する媒体の形状や大きさや厚さは問わないが人手による短文形式での記入と閲覧が可能な大きさを確保することが望ましい。
【実施例１】
【００１７】  １日の内に５種類の目的に付帯する同じ内容の作業があるとする。スケジュールの名目記入欄５０に目的を示す情報を記入する。スケジュールの名目記入欄５０に隣接する罫線４０に作業の名称や内容を記入することで各作業の目的の錯誤を防ぐ。
【実施例２】
【００１８】  時間軸３０に予定などを記入し同一名称あるいは類似の内容の作業の開始時刻を明確にする。
【符号の説明】
【００１９】  １０  スケジュール記入用紙
２０  年月日
３０  時間軸
４０  箇条書き欄
４１  箇条書き罫線群
５０  スケジュールの名目記入欄
５１  罫線
５２  罫線
５３  罫線
５４  罫線
５５  罫線
５６  罫線
６０  罫線
【手続補正４】
【補正対象書類名】図面
【補正対象項目名】全図
【補正方法】変更
【補正の内容】
【図１】
0003201786.tif 000007